(57)【要約】【課題】機械美及び審美性が低下することを抑制しつつ、時計情報（例えばぜんまいの巻き上げ量に関する情報）を表示すること。【解決手段】第１時計部品６０と、第１時計部品に対して組み合わされると共に、ぜんまいに蓄えられた動力が伝えられる第２時計部品２８と、第１時計部品と第２時計部品との間に設けられ、動力に対応した外力が付与される表示体８１とを備え、表示体は、ピエゾクロミズム材料を主成分とする材料により形成されている表示機構８０を提供する。【選択図】図２
2019164009.tif 000002
【特許請求の範囲】
【請求項１】
第１時計部品と、
前記第１時計部品に対して組み合わされると共に、ぜんまいに蓄えられた動力が伝えられる第２時計部品と、
前記第１時計部品と前記第２時計部品との間に設けられ、前記動力に対応した外力が付与される表示体と、を備え、
前記表示体は、ピエゾクロミズム材料を主成分とする材料により形成されていることを特徴とする表示機構。
【請求項２】
請求項１に記載の表示機構において、
前記第１時計部品は、前記ぜんまいとされ、
前記第２時計部品は、前記ぜんまいを径方向の外側から囲む周壁部を有し、内側に前記ぜんまいを収容する香箱車とされ、
前記表示体は、所定の厚みを有すると共に前記周壁部に沿って延びるように形成され、前記周壁部の内側に配置されている、表示機構。
【請求項３】
請求項１に記載の表示機構において、
前記第１時計部品は、第１歯部を有し、
前記第２時計部品は、前記第１歯部に噛み合う第２歯部を有すると共に、前記ぜんまいから前記動力が伝えられる動力伝達車とされ、
前記表示体は、所定の厚みで形成されると共に、前記第１歯部及び前記第２歯部のうちの少なくとも一方の歯部に取り付けられている、表示機構。
【請求項４】
請求項１から３のいずれか１項に記載の表示機構を備えている、時計用ムーブメント。
【請求項５】
請求項４に記載の時計用ムーブメントを備えている、機械式時計。
【発明の詳細な説明】
【技術分野】
【０００１】
本発明は、表示機構、時計用ムーブメント及び機械式時計に関する。
【背景技術】
【０００２】
時計の情報を表示する表示方法としては、主に指針を利用した針表示と、円盤針を利用した円盤針表示とに大別される。
針表示による機械式時計としては、例えば下記特許文献１に示されるように、曜日等の情報を扇形状の目盛りで表示すると共に、この目盛りを指す指針が扇形状の中心軸周りに運針後、瞬間的に元の位置に戻る運針を繰り返す、いわゆるレトログラード表示を備えた時計が知られている。このような針表示による機械式時計の場合には、時間経過等に伴う状態変化を、文字板或いは目盛り等に表示される情報と指針との位相から読み取るものである。
円盤針表示の場合には、時間経過等に伴う状態変化を、例えば円盤に記される針の位相や模様の変化から読み取るものである。
【先行技術文献】
【特許文献】
【０００３】
【特許文献１】特開２００６−２２６９９０号公報
【発明の概要】
【発明が解決しようとする課題】
【０００４】
近年、文字板側、或いは文字板側及び裏蓋側の両方から時計内部のムーブメントの動きやムーブメントの骨格部分を視認することができる、いわゆるスケルトン時計が広く普及され始めている。スケルトン時計は、ムーブメントを構成する時計部品（例えば歯車等）の正確且つ繊細な動きや、これら時計部品及び骨格部分（例えば受等）を含めたムーブメント全体のデザイン等を視認できるので、機械美及び審美性に優れた時計として広く知られている。
【０００５】
この種のスケルトン時計において、上記従来の針表示を採用した場合には、ムーブメントを構成する時計部品と指針とを区別して認識することが難しい場合があり、時間経過等に伴う状態変化を指針に基づいて読み取ることが困難になり易かった。
また、針表示に代えて上記従来の円盤針表示を採用した場合には、円盤針が視界を妨げてしまうので、ムーブメントの内部の視認性が低下し易い。そのため、スケルトン時計の魅力である機械美及び審美性を低下させる要因となってしまう。
【０００６】
本発明は、このような事情に考慮してなされたもので、その目的は、機械美及び審美性が低下することを抑制しつつ、時計情報を表示することができる表示機構、時計用ムーブメント及び機械式時計を提供することである。
【課題を解決するための手段】
【０００７】
（１）本発明に係る表示機構は、第１時計部品と、前記第１時計部品に対して組み合わされると共に、ぜんまいに蓄えられた動力が伝えられる第２時計部品と、前記第１時計部品と前記第２時計部品との間に設けられ、前記動力に対応した外力が付与される表示体と、を備え、前記表示体は、ピエゾクロミズム材料を主成分とする材料により形成されていることを特徴とする。
【０００８】
本発明に係る表示機構によれば、ぜんまいに蓄えられた動力（トルク）に対応した外力（例えば圧縮応力或いは引張応力）を表示体に付与することができる。表示体は、ピエゾクロミズム材料を主成分とする材料に形成されているので、外力に応じて表示体の色を可逆的に変化させることができる。従って、使用者は、表示体の色の状態を視認することで、時計情報であるぜんまいの動力情報、すなわちぜんまいの巻き上げ量に関する情報を一目で把握することができる。
特に、表示体は第１時計部品と第２時計部品との間に設けられているので、表示体を変色させるための新たな機構を特別に付加する必要がなく、従来の時計構造を利用して表示体を変色させることが可能である。そのため、構成の簡略化及び低コスト化を図ることが可能である。さらに、従来の針表示や円盤針表示とは異なり、針を利用せずに時計情報である、ぜんまいの巻き上げ量に関する情報を表示できるので、スケルトン時計に好適に適用することができ、スケルトン時計の魅力である機械美及び審美性が低下することを抑制することができる。
【０００９】
（２）前記第１時計部品は、前記ぜんまいとされ、前記第２時計部品は、前記ぜんまいを径方向の外側から囲む周壁部を有し、内側に前記ぜんまいを収容する香箱車とされ、前記表示体は、所定の厚みを有すると共に前記周壁部に沿って延びるように形成され、前記周壁部の内側に配置されても良い。
【００１０】
この場合には、ぜんまいが時間経過に伴って徐々に巻き解かれて、香箱車の内部において拡径するように弾性変形すると、ぜんまいが香箱車の周壁部の内側に配置された表示体に対して径方向の内側から押し当たる。これにより、表示体を徐々に圧縮変形させるように、表示体に対して外力を付与することができ、表示体の色を変化させることができる。
特に、ぜんまいの巻き解きに伴う動力に対応した外力を、ぜんまいから表示体に対して直接付与することができるので、外力を効率良く且つロスなく表示体に付与することができ、表示体を反応良く変色させることができる。従って、表示体の色の状態を視認することで、より高精度に時計情報、すなわちぜんまいの巻き上げ量に関する情報を把握することができる。
【００１１】
（３）前記第１時計部品は、第１歯部を有し、前記第２時計部品は、前記第１歯部に噛み合う第２歯部を有すると共に、前記ぜんまいから前記動力が伝えられる動力伝達車とされ、前記表示体は、所定の厚みで形成されると共に、前記第１歯部及び前記第２歯部のうちの少なくとも一方の歯部に取り付けられても良い。
【００１２】
この場合には、表示体を介して第１歯部と第２歯部とを噛み合わせることができると共に、第１歯部と第２歯部との噛み合い力を、ぜんまいに蓄えられた動力に対応させることができる。従って、ぜんまいに蓄えられた動力に対応した外力を表示体に付与することができると共に、この外力に応じて第１歯部と第２歯部との間で表示体を圧縮変形させて、表示体の色を変化させることができる。そのため、例えば時間経過に伴ってぜんまいが徐々に巻き解かれ、ぜんまいの動力が低下すると、それに対応して表示体に付与される外力が低下するので、表示体の色を変化させることができる。これにより、表示体の色の状態を視認することで、時計情報、すなわちぜんまいの巻き上げ量に関する情報を把握することができる。
特に、互いに噛み合う第１歯部と第２歯部とを利用して表示体を取り付けるので、表示体に対して常時外力を付与することが可能となり、表示体の色の状態に基づいて、ぜんまいの巻き上げ量に関する情報を常時把握することが可能である。
【００１３】
（４）本発明に係る時計用ムーブメントは、上記表示機構を備えている。
（５）本発明に係る時計は、上記時計用ムーブメントを備えている。
【００１４】
この場合には、上述した表示機構を備えているので、機械美及び審美性が低下することを抑制しつつ、時計情報（ぜんまいの巻き上げ量に関する情報）を表示することができ、スケルトン時計に好適な時計用ムーブメント及び機械式時計とすることができる。
【発明の効果】
【００１５】
本発明によれば、機械美及び審美性が低下することを抑制しつつ、時計情報（ぜんまいの巻き上げ量に関する情報）を表示することができ、スケルトン時計に好適に適用することができる。
【図面の簡単な説明】
【００１６】
【図１】本発明に係る第１実施形態を示す図であって、機械式時計におけるムーブメントの平面図である。
【図２】図１に示す香箱車周辺の縦断面図である。
【図３】図２に示す香箱ケース及びぜんまいの上面図である。
【図４】図３に示す状態からぜんまいが巻き解かれ、ピエゾクロミズムフィルムの色が黄色から赤色に変化した状態を示す、香箱ケース及びぜんまいの上面図である。
【図５】図４に示すピエゾクロミズムフィルムの周辺を拡大した縦断面図である。
【図６】本発明に係る第２実施形態を示す図であって、香箱ケース及びぜんまいの上面図である。
【図７】図６に示すピエゾクロミズムフィルム及び押圧片の周辺を拡大した縦断面図である。
【図８】図７に示す状態からぜんまいが巻き解かれ、ピエゾクロミズムフィルムの色が変化した状態を示す図である。
【図９】本発明に係る第３実施形態を示す図であって、香箱車周辺の縦断面図である。
【図１０】図９に示す角穴車及びこはぜの噛み合い部分を拡大した斜視図であって、黄色のピエゾクロミズムフィルムが部分的に赤色に変色している状態を示す図である。
【図１１】図１０に示す状態から、ピエゾクロミズムフィルムが全体にわたって黄色になった状態を示す図である。
【図１２】第３実施形態の変形例を示す図であって、角穴車及びこはぜの両方に黄色のピエゾクロミズムフィルムが取り付けられた状態を示す、角穴車及びこはぜの斜視図である。
【図１３】本発明に係る第４実施形態を示す図であって、香箱車及び二番車周辺の縦断面図である。
【図１４】図１３に示す香箱歯車及び二番かなの噛み合い部分を拡大した平面図であって、黄色のピエゾクロミズムフィルムが部分的に赤色に変色している状態を示す図である。
【発明を実施するための形態】
【００１７】
（第１実施形態）
以下、本発明に係る第１実施形態について図面を参照して説明する。
一般に、時計の駆動部分を含む機械体を「ムーブメント」と称する。このムーブメントに文字板、針を取り付けて、時計ケースの中に入れて完成品にした状態を時計の「コンプリート」と称する。時計の基板を構成する地板の両側のうち、時計ケースのガラスのある方の側（すなわち、文字板のある方の側）をムーブメントの「裏側」と称する。また、地板の両側のうち、時計ケースのケース裏蓋のある方の側（すなわち、文字板と反対の側）をムーブメントの「表側」と称する。
なお本実施形態では、文字板からケース裏蓋に向かう方向を上側、その反対側を下側として説明する。
【００１８】
図１に示すように、本実施形態の機械式時計１は、ムーブメント（本発明に係る時計用ムーブメント）２、及びムーブメント２を収容する図示しない時計ケースを備えている。
時計ケースは、図示しないケース裏蓋及びガラスを備え、その内部には少なくとも時に関する情報を示す目盛りを有する図示しない文字板と、目盛りを指す図示しない指針（すなわち時を示す時針、分を示す分針、及び秒を示す秒針）が設けられている。
【００１９】
なお、文字板のうち時に関する情報を示す目盛り以外の部分は、該文字板を貫通する窓孔が適宜形成されている。これにより、ガラス及び窓孔を通じて、ムーブメント２の内部を文字板側から視認することが可能とされている。
さらに、ケース裏蓋は、少なくとも一部分が例えば透明或いは半透明の材料で形成されている。或いは、ケース裏蓋の少なくとも一部分には、透明或いは半透明の材料で形成された透明蓋が取り付けられている。これにより、文字板側からだけでなく、ケース裏蓋側からもムーブメント２の内部を視認することが可能とされている。
このように、本実施形態の機械式時計１は、ムーブメント２を外部から視認することができる、いわゆるスケルトン時計とされている。
【００２０】
ムーブメント２は、基板を構成する地板１０と、地板１０よりも表側に配置された香箱受１１、輪列受１２及びてんぷ受１３と、を備えている。香箱受１１、輪列受１２及びてんぷ受１３と、地板１０との間には、表輪列１４、表輪列１４の回転を制御する脱進機１５、及び脱進機１５を調速する調速機１６が主に配設されている。なお、地板１０の裏側には、図示しない文字板が配置されている。
【００２１】
地板１０には、巻真案内穴２０が形成されており、巻真案内穴２０に巻真２１が回転可能に組み込まれている。巻真２１は、おしどり２２、かんぬき２３、かんぬきばね２４及び裏押さえ２５を有する切換装置により、軸方向の位置が決められている。さらに巻真２１の案内軸部には、図示しないきち車が回転可能に設けられている。
【００２２】
巻真２１を回転させると、図示しないつづみ車の回転を介してきち車が回転する。きち車が回転することにより、これと噛合う丸穴車２６が回転する。丸穴車２６が回転することにより、これと噛合う角穴車２７が回転する。角穴車２７が回転することにより、香箱車２８に収容された動力源であるぜんまい６０（図２参照）が巻き上げられる。
【００２３】
表輪列１４は、上述した香箱車２８、二番車３０、三番車３５、四番車３６を主に備えている。二番車３０、三番車３５及び四番車３６は、巻き上げられたぜんまい６０の弾性復元力によって回転する香箱車２８の回転に伴って順に回転する。
【００２４】
なお、秒針は、四番車３６の回転に基づいて回転すると共に脱進機１５及び調速機１６によって調速された回転速度、すなわち１分間で１回転する。分針は、二番車３０の回転、或いは二番車３０の回転に伴って回転する図示しない分車の回転に基づいて回転すると共に脱進機１５及び調速機１６によって調速された回転速度、すなわち１時間で１回転する。時針は、図示しない日の裏車を介して、二番車３０の回転に伴って回転する図示しない筒車の回転に基づいて回転すると共に、脱進機１５及び調速機１６によって調速された回転速度、すなわち１２時間或いは２４時間で１回転する。
【００２５】
脱進機１５は、四番車３６に噛み合うと共にぜんまい６０から伝達される動力によって回転するがんぎ車３７と、がんぎ車３７を脱進させて規則正しく回転させるアンクル３８と、を備え、てんぷ３９からの規則正しい振動で表輪列１４を制御する。
調速機１６は、主に図示しないひげぜんまいを動力源として、香箱車２８の出力トルクに応じた定常振幅（振り角）で往復回転（正逆回転）するてんぷ３９を備えている。
【００２６】
図２に示すように、香箱車２８は、地板１０及び香箱受１１によって第１軸線Ｏ１回りに回転可能に軸支された香箱真４０と、香箱真４０に対して第１軸線Ｏ１回りに相対回転可能に組み合わされ、内部にぜんまい６０を収容する香箱ケース４１と、を備えている。
なお、第１軸線Ｏ１方向から見た平面視において、第１軸線Ｏ１に交差する方向を径方向といい、第１軸線Ｏ１回りに周回する方向を周方向という。
【００２７】
香箱真４０は、下端部に形成された下ほぞ部４０ａが地板１０に保持された軸受４２のほぞ穴４２ａによって軸支され、上端部に形成された上ほぞ部４０ｂが香箱受１１に保持された軸受４３のほぞ穴４３ａによって軸支されている。なお、軸受４２としては、例えばルビー等で形成された穴石等が挙げられる。
【００２８】
図２及び図３に示すように、香箱ケース４１は、有底筒状のケース本体４５、及びケース本体４５を上方から閉塞する香箱蓋４６を備え、ケース本体４５の内部にぜんまい６０を収容している。
ケース本体４５は、第１軸線Ｏ１を中心として円板状に形成された底壁部４５ａと、底壁部４５ａの外周縁部に沿って上方に向けて延びるように形成され、ぜんまい６０を径方向外側から囲む周壁部４５ｂと、を備えている。
【００２９】
底壁部４５ａの中央部分には、該底壁部４５ａを上下に貫通するように形成され、香箱真４０に対して第１軸線Ｏ１回りに相対回転可能に嵌合する第１嵌合孔４７が形成されている。底壁部４５ａの外周縁部には、径方向外側に向けて突出する香箱歯部４８ａが全周に亘って形成された香箱歯車４８が形成されている。
【００３０】
香箱歯部４８ａは、図１に示すように、二番車３０における二番かな３１における歯部３１ａに噛合している。これにより、二番車３０は、二番かな３１及び香箱歯車４８を介して、香箱車２８の回転に伴って第２軸線Ｏ２回りに回転する。  
【００３１】
図２に示すように、香箱蓋４６は、第１軸線Ｏ１を中心として円板状に形成され、ケース本体４５における周壁部４５ｂの開口部を上方から閉塞している。香箱蓋４６の外周縁部は、ケース本体４５における周壁部４５ｂの上端部に対して嵌合している。これにより、香箱蓋４６及びケース本体４５は、互いに一体に組み合わされている。香箱蓋４６の中央部分には、該香箱蓋４６を上下に貫通するように形成され、香箱真４０に対して第１軸線Ｏ１回りに相対回転可能に嵌合する第２嵌合孔５０が形成されている。
ケース本体４５の第１嵌合孔４７及び香箱蓋４６の第２嵌合孔５０が香箱真４０に対して第１軸線Ｏ１回りにそれぞれ相対回転可能に嵌合することで、香箱ケース４１の全体は香箱真４０に対して第１軸線Ｏ１回りに相対回転可能に組み合わされている。
【００３２】
図２及び図３に示すように、ぜんまい６０は、香箱真４０に対して渦巻状に巻き付けられていると共に、周壁部４５ｂの内側に配置された状態で香箱ケース４１内に収容されている。ぜんまい６０は、香箱真４０の回転によって縮径するように弾性変形しながら巻き上げられると共に、巻き解ける際の弾性復元力により香箱ケース４１を回転させて、二番車３０を介して表輪列１４に動力（回転トルク）を伝える。
ぜんまい６０については、後に詳細に説明する。
【００３３】
図１及び図２に示すように、角穴車２７は、香箱ケース４１と香箱受１１との間に第１軸線Ｏ１と同軸に配置されていると共に、香箱真４０に対して例えば圧入等によって固定されている。角穴車２７は、丸穴車２６に噛み合う角穴歯部５５ａが全周に亘って形成された角穴歯車５５を有しており、丸穴車２６の回転に伴って第１軸線Ｏ１回りに第１回転方向Ｍ１（図１参照）に香箱真４０と一体に回転することが可能とされている。これにより、角穴車２７の回転によって、香箱真４０を介してぜんまい６０を巻き上げることが可能とされている。
なお、角穴車２７には、ぜんまい６０が巻き解ける際の弾性復元力によって、第１回転方向Ｍ１とは反対の第２回転方向Ｍ２に向けて、ぜんまい６０が蓄えている動力が作用する。
【００３４】
図１に示すように、角穴車２７には、巻き上げたぜんまい６０の巻き解けを防止するために、角穴車２７の逆転を規制するこはぜ７０が係合している。
こはぜ７０は、角穴車２７に対して上下方向に重ならない位置に配置されると共に、例えば第３軸線Ｏ３回りに揺動可能に香箱受１１に軸支され、角穴歯部５５ａに係合する係合歯部７０ａを有している。こはぜ７０は、角穴車２７が第１回転方向Ｍ１に回転したときに、係合歯部７０ａが角穴歯部５５ａに対して係合する係合位置（図１に示す位置）から、第３軸線Ｏ３を中心として第３回転方向Ｍ３に回転して角穴歯部５５ａに対する係合歯部７０ａの係合が解除される解除位置に揺動可能とされている。
【００３５】
さらにこはぜ７０は、図示しないこはぜばねからのばね力によって、上記解除位置から上記係合位置に向けて第３軸線Ｏ３回りに付勢されている。これにより、角穴車２７は、こはぜ７０の係合歯部７０ａに角穴歯部５５ａを１つずつ乗り越えさせるように、こはぜばねのばね力（弾性力）に抗しつつ第１回転方向Ｍ１に回転可能とされている。
【００３６】
さらにこはぜ７０は、係合歯部７０ａが角穴歯部５５ａに対して係合する係合位置から、第３軸線Ｏ３を中心として第３回転方向Ｍ３とは反対の第４回転方向Ｍ４に回転することが規制されている。これにより、角穴車２７は、第１回転方向Ｍ１への回転については許容されるが、その反対の第２回転方向Ｍ２への回転はこはぜ７０によって規制されている。これにより、先に述べたように、角穴車２７は逆転が防止され、第１回転方向Ｍ１のみの回転が許容されている。
【００３７】
上述したぜんまい６０について詳細に説明する。
図２及び図３に示すように、本実施形態のぜんまい６０は、スリッピングアタッチメント６５を介して香箱ケース４１に対して組み合わされている。
ぜんまい６０は、所定の曲げ弾性を有する細長い帯状片とされ、渦巻き状に巻かれた状態で周壁部４５ｂの内側に収容されている。ぜんまい６０の内端部側には巻部６１が形成され、巻部６１を介して香箱真４０に一体に連結されている。ぜんまい６０のうち、外端部６２を含む最も外周側の１巻部分、すなわち最外周部分６３は、スリッピングアタッチメント６５の外周面に例えば溶接、接着或いは加締め等によって一体に固着されている。
【００３８】
スリッピングアタッチメント６５は、所定の厚みを有し、周壁部４５ｂに沿って延びる帯状に形成され、図示の例では周方向の一部が分断された平面視Ｃ形状に形成されている。ただし、スリッピングアタッチメント６５の形状は、この場合に限定されるものではなく、例えば環状（リング状）に形成しても構わない。この場合には、スリッピングアタッチメント６５の内周面に、ぜんまい６０の最外周部分６３を固着すれば良い。
【００３９】
本実施形態では、ぜんまい６０の最外周部分６３は、周壁部４５ｂとスリッピングアタッチメント６５との間に挟まれた状態で配置されている。なお、ぜんまい６０の外端部６２は、スリッピングアタッチメント６５における分断部分に位置している。さらに、ぜんまい６０のうち最外周部分６３以外の部分は、上記分断部分を通じて、スリッピングアタッチメント６５の内側に入り込み、スリッピングアタッチメント６５の内側で渦巻き状に巻回されている。
【００４０】
スリッピングアタッチメント６５は、香箱ケース４１における周壁部４５ｂに対して、ぜんまい６０の最外周部分６３を間に挟んだ状態で所定の押圧力で接触している。
具体的には、ぜんまい６０の巻き上げ時、ぜんまい６０を介してスリッピングアタッチメント６５に所定の回転トルクが伝わったとしても、スリッピングアタッチメント６５は上記押圧力によって周壁部４５ｂに対して相対回転することが防止されている。そのため、スリッピングアタッチメント６５を回転させることなく、ぜんまい６０の巻き上げを行うことが可能とされている。
【００４１】
これに対して、ぜんまい６０の巻き上げ時、所定の回転トルクを超えるような（上記押圧力を超えるような）回転トルクがスリッピングアタッチメント６５に伝わった場合には、周壁部４５ｂに対してスリッピングアタッチメント６５を相対回転させることができる。これにより、スリッピングアタッチメント６５と共に、ぜんまい６０を香箱真４０と共に回転させることができるので、ぜんまい６０が過度に巻き上げられてしまうことを防止することができる。
これにより、ぜんまい切れを防止しながら、ぜんまい６０を適切に巻き上げることが可能とされている。
【００４２】
（表示機構）
上述のように構成されたムーブメント２は、時間経過等に伴う状態変化を含む時計情報、具体的には、ぜんまい６０の動力情報、すなわちぜんまい６０の巻き上げ量に関する情報（パワーリザーブ量）を表示する表示機構８０を備えている。
【００４３】
図２及び図３に示すように、表示機構８０は、上述したぜんまい（本発明に係る第１時計部品）６０と、ぜんまい６０に対して組み合わされ、ぜんまい６０に蓄えられた動力が伝えられる上述した香箱車（本発明に係る第２時計部品）２８と、ぜんまい６０と香箱車２８との間に設けられ、ぜんまい６０に蓄えられた動力に対応した外力が付与されるピエゾクロミズムフィルム（本発明に係る表示体）８１と、を備えている。
【００４４】
ピエゾクロミズムフィルム８１は、ピエゾクロミズム材料を主成分とする材料により形成され、所定の厚みで周壁部４５ｂに沿って延びるように帯状に形成されている。ピエゾクロミズム材料とは、外部から圧力（圧縮応力或いは引張応力）が付与されることにより、可逆的に色が変化する材料をいう。
【００４５】
本実施形態のピエゾクロミズムフィルム８１は、無負荷状態から外力が付与されることにより、例えば黄色から赤色に変色可能なように構成されている。この場合、ピエゾクロミズムを示す分子（クロミック分子）としては、例えばジアリールビベンゾフラノン（ＤＡＢＢＦ）構造を有する化合物が挙げられる。
【００４６】
ただし、ピエゾクロミズムフィルム８１の色の変化は、上述した場合に限定されるものではなく、その他のクロミック分子を利用することで他の色による変化を生じさせることができる。例えば、ビアントロン構造を有する化合物を含むクロミック分子でピエゾクロミズムフィルム８１を形成することで、負荷状態から外力が付与されることにより、黄色から緑色に変色させることが可能となる。
さらに、変色する際のピエゾクロミズムフィルム８１の色の濃度は、例えば外力の大きさに対応させることが可能であり、また外力が大きいほど色濃く発色させることも可能である。
【００４７】
ピエゾクロミズムフィルム８１は、スリッピングアタッチメント６５の厚みと略同等の厚みとされていると共に、スリッピングアタッチメント６５と同等の長さの平面視Ｃ形状に形成され、スリッピングアタッチメント６５の内周面に例えば接着等により固定されている。
従って、図３に示すように、ぜんまい６０が巻き上げられている状態では、ピエゾクロミズムフィルム８１には外力が付与されず、ピエゾクロミズムフィルム８１は無負荷状態とされている。これに対して、図４及び図５に示すようにぜんまい６０が巻き解かれた状態では、ぜんまい６０がピエゾクロミズムフィルム８１に対して径方向内側から押し当たるので、ピエゾクロミズムフィルム８１に対して外力を付与することができ、ピエゾクロミズムフィルム８１の色を黄色から赤色に変化させることが可能とされている。
【００４８】
図１及び図２に示すように、香箱蓋４６には、該香箱蓋４６を上下に貫通する表示窓５１が形成されている。図示の例では、表示窓５１は、香箱蓋４６のうちピエゾクロミズムフィルム８１の上方に位置する部分に形成されていると共に、第１軸線Ｏ１を中心として周方向に延びる平面視円弧状に形成されている。さらに、表示窓５１は、周方向に間隔をあけて複数形成されている。
これにより、表示窓５１を通じて、機械式時計１の外部からピエゾクロミズムフィルム８１を視認することが可能とされている。
【００４９】
ただし、表示窓５１の形状は、上述した場合に限定されるものではなく、例えば平面視円形状、楕円状、多角形状に形状しても構わない。さらには、表示窓５１に、透明或いは半透明の透明部材を嵌め込んでも構わない。
【００５０】
（機械式時計の作用）
次いで、上述のように構成された表示機構８０を有する機械式時計１の作用について説明する。
図１〜図３に示すように、ぜんまい６０が巻き上げられている状態では、ピエゾクロミズムフィルム８１は無負荷状態であるので黄色となっている。巻き上げによってぜんまい６０に蓄えられた動力は、スリッピングアタッチメント６５を介して香箱ケース４１に伝わると共に、香箱真４０を介して角穴車２７に伝わる。しかしながら角穴車２７は、ぜんまい６０からの動力によって、第１回転方向Ｍ１とは反対の第２回転方向Ｍ２に向けて回転しようとするが、こはぜ７０によって第２回転方向Ｍ２への回転が規制されている。
【００５１】
従って、巻き上げられたぜんまい６０は、時間経過に伴って弾性復元力により徐々に巻き解かれて、香箱車２８の内部において拡径するように弾性変形する。これにより、香箱ケース４１を第１軸線Ｏ１回りに回転させることができ、二番車３０を介して表輪列１４に動力を伝えることができる。
【００５２】
そして、さらに時間が経過すると、図４及び図５に示すように、ぜんまい６０がスリッピングアタッチメント６５の内周面に固定されたピエゾクロミズムフィルム８１に対して径方向内側から押し当たる。これにより、ピエゾクロミズムフィルム８１を徐々に圧縮変形させるように、ピエゾクロミズムフィルム８１に対して外力を付与することができる。
【００５３】
これにより、ピエゾクロミズムフィルム８１を、この外力によって黄色から赤色に変化させることができる。従って、使用者は、表示窓５１を通じてピエゾクロミズムフィルム８１が黄色から赤色に変化したことを視認することで、時計情報であるぜんまい６０の巻き上げ量に関する情報（パワーリザーブ量）を一目で把握することができる。
つまり、ピエゾクロミズムフィルム８１が赤色に変化したことで、ぜんまい６０の巻き上げ量が低下したこと、すなわち残量がなくなってきたことを把握することができる。
【００５４】
なお、ぜんまい６０が完全に巻き解けた場合には、ピエゾクロミズムフィルム８１に最も強く外力が付与されるので、例えばピエゾクロミズムフィルム８１を最も濃い赤色に変化させることも可能である。そのため、ぜんまい６０の巻き上げ量が最小になったことを一目で把握することができる。
【００５５】
その後、使用者によってぜんまい６０の巻き上げを行った場合には、図３に示すように、ぜんまい６０が縮径するように弾性変形してピエゾクロミズムフィルム８１から離間するので、ピエゾクロミズムフィルム８１は再び無負荷状態となる。そのため、ピエゾクロミズムフィルム８１を、赤色から黄色に変化させることができる。
従って、使用者は表示窓５１を通じてピエゾクロミズムフィルム８１が再び黄色に変化したことを視認することで、ぜんまい６０が適切に巻き上げられて、巻き上げ量が増加したこと、すなわち十分に残量を有していることを把握することができる。
【００５６】
以上説明したように、本実施形態の機械式時計１によれば、ぜんまい６０に蓄えられた動力に対応した外力に応じてピエゾクロミズムフィルム８１の色を可逆的に変化させることができるので、ぜんまい６０の巻き上げ量に関する情報を一目で把握することができる。
特に、ピエゾクロミズムフィルム８１は、ぜんまい６０と香箱車２８との間に設けられているので、ピエゾクロミズムフィルム８１を変色させるための新たな機構を特別に付加する必要がなく、従来の時計構造を利用してピエゾクロミズムフィルム８１を変色させることが可能である。そのため、構成の簡略化及び低コスト化を図ることが可能である。
【００５７】
さらに、従来の針表示や円盤針表示とは異なり、針を利用せずにぜんまい６０の巻き上げ量に関する情報を表示できるので、スケルトン時計の魅力である機械美及び審美性が低下することを抑制することができる。
従って、本実施形態のムーブメント２及び機械式時計１によれば、上記表示機構８０を具備しているので、スケルトン時計に好適なムーブメント及び時計とすることができる。
【００５８】
さらに、ピエゾクロミズムフィルム８１をスリッピングアタッチメント６５に固定しているので、ぜんまい６０の巻き解きに伴う動力に対応した外力を、ぜんまい６０からピエゾクロミズムフィルム８１に対して直接付与することができる。従って、外力を効率良く且つロスなくピエゾクロミズムフィルム８１に付与することができ、ピエゾクロミズムフィルム８１を反応良く変色させることができる。
従って、ピエゾクロミズムフィルム８１の色の状態を視認することで、ぜんまい６０の巻き上げ量に関する情報を精度良く把握することができる。
【００５９】
（第２実施形態）
次に、本発明に係る第２実施形態について図面を参照して説明する。なお、この第２実施形態においては、第１実施形態における構成要素と同一の部分については、同一の符号を付しその説明を省略する。
【００６０】
第１実施形態では、ピエゾクロミズムフィルム８１をスリッピングアタッチメント６５の内周面に固定したが、本実施形態では、ピエゾクロミズムフィルム８１を、スリッピングアタッチメント６５と香箱ケース４１の周壁部４５ｂとの間に配置している。
【００６１】
図６及び図７に示すように、本実施形態の表示機構９０では、ピエゾクロミズムフィルム８１が環状（リング状）に形成され、周壁部４５ｂの内周面に接触した状態で配置されている。さらに、ピエゾクロミズムフィルム８１とぜんまい６０の最外周部分６３との間には、周壁部４５ｂに沿って延びた押圧片９１が配置されている。
【００６２】
押圧片９１は、所定の厚みを有すると共に平面視円弧状に形成された板片であり、例えば周方向に間隔をあけて複数配置されている。押圧片９１は、その下端部が香箱ケース４１における底壁部４５ａに形成されたガイド溝９２内に収納されている。ガイド溝９２は、下方に向けて凹むと共に、押圧片９１に対応して平面視円弧状に形成され、且つ押圧片９１の数に対応して周方向に間隔をあけて複数形成されている。これにより、複数の押圧片９１は、下端部がガイド溝９２内にそれぞれ収納されている。従って、複数の押圧片９１は、周方向に位置決めされた状態で香箱ケース４１内に配置されている。
さらに、ガイド溝９２の径方向に沿った溝幅は、押圧片９１の厚みよりも幅広に形成されている。これにより、押圧片９１は、ガイド溝９２内に下端部が収納された状態で、径方向にスライド移動可能とされている。
【００６３】
スリッピングアタッチメント６５は、複数の押圧片９１に対して、ぜんまい６０の最外周部分６３を間に挟んだ状態で所定の押圧力で接触している。さらに、香箱蓋４６に形成された表示窓５１は、第１実施形態よりも香箱蓋４６の外周縁部寄りに形成されており、ピエゾクロミズムフィルム８１の上方に位置するように形成されている。
【００６４】
（機械式時計の作用）
上述のように構成された表示機構９０を具備する機械式時計１の場合であっても、第１実施形態と同様の作用効果を奏功することができる。
すなわち、図６及び図７に示すように、ぜんまい６０が巻き上げられている状態では、ピエゾクロミズムフィルム８１は無負荷状態であるので黄色となっている。その後、巻き上げられたぜんまい６０が時間経過に伴って徐々に巻き解かれると、拡径するように弾性変形するので、図８に示すように、スリッピングアタッチメント６５に対して径方向内側から押し当たる。これにより、スリッピングアタッチメント６５を介して押圧片９１を径方向外側に向けて押し込むことができ、押圧片９１をガイド溝９２内で径方向外側にスライド移動させることができる。従って、押圧片９１と周壁部４５ｂとの間でピエゾクロミズムフィルム８１を徐々に圧縮変形させるように、ピエゾクロミズムフィルム８１に対して外力を付与することができる。
【００６５】
その結果、ピエゾクロミズムフィルム８１を、外力によって黄色から赤色に変化させることができる。従って、使用者は、表示窓５１を通じてピエゾクロミズムフィルム８１が黄色から赤色に変化したことを視認することで、ぜんまい６０の巻き上げ量に関する情報を一目で把握することができ、ぜんまい６０の巻き上げ量の残量がなくなってきたことを把握することができる。
【００６６】
なお、本実施形態の場合であっても、使用者によってぜんまい６０の巻き上げを行った場合には、図６に示すように、ぜんまい６０が縮径するように弾性変形するので、ピエゾクロミズムフィルム８１は再び無負荷状態となる。そのため、ピエゾクロミズムフィルム８１を、赤色から黄色に変化させることができる。従って、使用者は表示窓５１を通じてピエゾクロミズムフィルム８１が再び黄色に変化したことを視認することで、ぜんまい６０が適切に巻き上げられて、巻き上げ量が増加したこと、すなわち十分に残量を有していることを把握することができる。
【００６７】
上述のように本実施形態の場合であっても、第１実施形態と同様の作用効果を奏功することができる。それに加え、本実施形態の場合には、ピエゾクロミズムフィルム８１を環状に形成することができるので、ピエゾクロミズムフィルム８１に対する表示窓５１の周方向位置を位置合わせする必要がない。従って、表示機構９０の組立性を向上することができる。
【００６８】
（第３実施形態）
次に、本発明に係る第３実施形態について図面を参照して説明する。なお、この第３実施形態においては、第１実施形態における構成要素と同一の部分については、同一の符号を付しその説明を省略する。
【００６９】
第１実施形態では、ぜんまい６０と香箱車２８との間にピエゾクロミズムフィルム８１を設けることで表示機構８０を構成したが、本実施形態では、こはぜ７０と角穴車２７との間にピエゾクロミズムフィルム８１を設けることで表示機構を構成している。
【００７０】
図９及び図１０に示すように、本実施形態の表示機構１００は、こはぜ（本発明に係る第１時計部品）７０と、ぜんまい６０に蓄えられた動力が伝えられる角穴車（本発明に係る動力伝達車、第２時計部品）２７と、こはぜ７０と角穴車２７との間に設けられたピエゾクロミズムフィルム８１と、を備えている。
なお本実施形態の場合には、香箱車２８の内部にぜんまい６０及びスリッピングアタッチメント６５のみが配置されている。
【００７１】
第１実施形態で説明したように、角穴車２７は、角穴歯部（本発明に係る第２歯部）５５ａが全周に亘って形成された角穴歯車５５を有しており、丸穴車２６の回転に伴って第１軸線Ｏ１回りに第１回転方向Ｍ１に香箱真４０と一体に回転することが可能とされている。さらに、角穴車２７には、ぜんまい６０が巻き解ける際の弾性復元力によって、第１回転方向Ｍ１とは反対の第２回転方向Ｍ２に向けて、ぜんまい６０が蓄えている動力が作用する。
【００７２】
こはぜ７０は、角穴歯部５５ａに係合する係合爪状の係合歯部（本発明に係る第１歯部）７０ａを有しており、係合歯部７０ａが角穴歯部５５ａに対して係合する係合位置から、第３軸線Ｏ３を中心として第３回転方向Ｍ３とは反対の第４回転方向Ｍ４に回転することが規制されている。これにより、角穴車２７は、第１回転方向Ｍ１への回転については許容されるが、その反対の第２方向への回転はこはぜ７０によって規制されている。これにより、角穴車２７は逆転が防止され、第１回転方向Ｍ１のみの回転が許容されている。
【００７３】
従って、こはぜ７０の係合歯部７０ａと角穴車２７の角穴歯部５５ａとの噛み合い力は、ぜんまい６０に蓄えられた動力に対応している。
ピエゾクロミズムフィルム８１は、所定の厚みを有する帯状に形成され、係合歯部７０ａ及び角穴歯部５５ａのうちの少なくとも一方の歯部に取り付けられている。本実施形態では、ピエゾクロミズムフィルム８１は、全ての角穴歯部５５ａの周面を覆うように（被覆するように）角穴歯車５５側に例えば接着等により取り付けられている。これにより、こはぜ７０の係合歯部７０ａと角穴車２７の角穴歯部５５ａとは、ピエゾクロミズムフィルム８１を介して互いに噛み合っている。
【００７４】
(機械式時計の作用)
上述のように構成された表示機構１００を具備する機械式時計１の場合には、こはぜ７０の係合歯部７０ａと角穴車２７の角穴歯部５５ａとが、ピエゾクロミズムフィルム８１を介して互いに噛み合っているので、ぜんまい６０に蓄えられた動力に対応した外力をピエゾクロミズムフィルム８１に付与することができると共に、この外力に応じて係合歯部７０ａと角穴歯部５５ａとの間でピエゾクロミズムフィルム８１を圧縮変形させて、ピエゾクロミズムフィルム８１の色を変化させることができる。
【００７５】
具体的には、ぜんまい６０が巻き上げられている状態では、ぜんまい６０には高い動力が蓄えられている。そのため、こはぜ７０の係合歯部７０ａと角穴車２７の角穴歯部５５ａとは、この動力に対応した強い噛み合い力で噛み合っている。そのため、図１０に示すように、ピエゾクロミズムフィルム８１のうち、互いに噛み合っている係合歯部７０ａと角穴歯部５５ａとの間に位置する部分に外力を付与することができ、この部分を圧縮変形させて黄色から赤色に変化させることができる。つまり、ピエゾクロミズムフィルム８１の色を、部分的に赤色に変色させることができる。
【００７６】
従って、使用者はピエゾクロミズムフィルム８１のうち、互いに噛み合っている係合歯部７０ａと角穴歯部５５ａとの間に位置する部分が赤色に変化していることを確認することで、ぜんまい６０が適切に巻き上げられて、巻き上げ量が十分であること、すなわち十分に残量を有していることを把握することができる。
【００７７】
その後、巻き上げられたぜんまい６０が時間経過に伴って徐々に巻き解かれると、ぜんまい６０が蓄えている動力が徐々に低下するので、これに対応して、ピエゾクロミズムフィルム８１のうち、互いに噛み合っている係合歯部７０ａと角穴歯部５５ａとの間に位置する部分に付与される外力も低下する。
【００７８】
そのため、例えばぜんまい６０が完全に巻き解かれた際、図１１に示すように、ピエゾクロミズムフィルム８１のうち、互いに噛み合っている係合歯部７０ａと角穴歯部５５ａとの間に位置する部分に付与する外力を十分に低下（例えば無負荷に近い状態まで低下）させることができ、赤色から黄色に変化させることができる。これにより、ピエゾクロミズムフィルム８１の色を、全体に亘って黄色にすることができ、部分的な変色をなくすことができる。
【００７９】
従って、使用者はピエゾクロミズムフィルム８１のうち、互いに噛み合っている係合歯部７０ａと角穴歯部５５ａとの間に位置する部分が黄色に変化していることを確認することで、ぜんまい６０の巻き上げ量が低下したこと、すなわち残量がなくなってきたことを把握することができる。
【００８０】
上述のように、本実施形態の表示機構１００の場合であっても、ピエゾクロミズムフィルム８１の色の状態を視認することで、ぜんまい６０の巻き上げ量に関する情報を一目で把握することができる。
特に、互いに噛み合うこはぜ７０の係合歯部７０ａと角穴車２７の角穴歯部５５ａとを利用してピエゾクロミズムフィルム８１を取り付けるので、ピエゾクロミズムフィルム８１に対して、常時外力を付与することが可能である。従って、ピエゾクロミズムフィルム８１の色の状態に基づいて、ぜんまい６０の巻き上げ量に関する情報を常時把握することができる。
【００８１】
なお、上述した第３実施形態では、ピエゾクロミズムフィルム８１を角穴歯車５５側に取り付けたが、この場合に限定されるものではなく、例えば図１２に示すように、角穴歯車５５側に加え、係合歯部７０ａの周面を覆うようにこはぜ７０側にさらにピエゾクロミズムフィルム８１を取り付けても構わない。なお、図１２では、ピエゾクロミズムフィルム８１がほぼ無負荷状態とされ、全体に亘って黄色とされている場合を示している。
さらには、角穴歯車５５側に取り付けず、係合歯部７０ａの周面を覆うようにこはぜ７０側にだけピエゾクロミズムフィルム８１取り付けても構わない。
いずれの場合であっても、上述した第３実施形態と同様の作用効果を奏功することができる。
【００８２】
（第４実施形態）
次に、本発明に係る第４実施形態について図面を参照して説明する。なお、この第４実施形態においては、第３実施形態における構成要素と同一の部分については、同一の符号を付しその説明を省略する。
【００８３】
第３実施形態では、こはぜ７０と角穴車２７との間にピエゾクロミズムフィルム８１を設けることで表示機構１００を構成したが、本実施形態では、二番車３０と香箱車２８との間にピエゾクロミズムフィルム８１を設けることで表示機構１１０を構成している。
【００８４】
図１３及び図１４に示すように、本実施形態の表示機構１１０は、二番車（本発明に係る第１時計部品）３０と、ぜんまい６０に蓄えられた動力が伝えられる香箱車（本発明に係る動力伝達車、第２時計部品）２８と、二番車３０と香箱車２８との間に設けられたピエゾクロミズムフィルム８１と、を備えている。
【００８５】
第１実施形態で説明したように、二番車３０は、歯部（本発明に係る第２歯部）３１ａが全周に亘って形成された二番かな３１を有しており、香箱車２８の回転に伴って第２軸線Ｏ２回りに回転する。香箱車２８は、二番かな３１の歯部３１ａに噛み合う香箱歯部（本発明に係る第１歯部）４８ａが全周に亘って形成された香箱歯車４８を有している。従って、二番かな３１の歯部３１ａと香箱歯車４８の香箱歯部４８ａとの噛み合い力は、ぜんまい６０に蓄えられた動力に対応している。
【００８６】
ピエゾクロミズムフィルム８１は、所定の厚みを有する帯状に形成され、二番かな３１の歯部３１ａ及び香箱歯部４８ａのうちの少なくとも一方の歯部に取り付けられている。本実施形態では、ピエゾクロミズムフィルム８１は、二番かな３１の全ての歯部３１ａの周面を覆うように二番かな３１側に例えば接着等により取り付けられている。これにより、二番かな３１の歯部３１ａと香箱歯車４８の香箱歯部４８ａとは、ピエゾクロミズムフィルム８１を介して互いに噛み合っている。
【００８７】
(機械式時計の作用)
上述のように構成された表示機構１１０の場合には、第３実施形態と同様の作用効果を奏功することができる。
すなわち、二番かな３１の歯部３１ａと香箱歯車４８の香箱歯部４８ａとが、ピエゾクロミズムフィルム８１を介して互いに噛み合っているので、ぜんまい６０に蓄えられた動力に対応した外力をピエゾクロミズムフィルム８１に付与することができると共に、この外力に応じて二番かな３１の歯部３１ａと香箱歯部４８ａとの間でピエゾクロミズムフィルム８１を圧縮変形させて、ピエゾクロミズムフィルム８１の色を変化させることができる。
【００８８】
具体的には、ぜんまい６０が巻き上げられている状態では、ぜんまい６０には高い動力が蓄えられている。そのため、二番かな３１の歯部３１ａと香箱歯車４８の香箱歯部４８ａとは、この動力に対応した強い噛み合い力で噛み合っている。そのため、ピエゾクロミズムフィルム８１のうち、互いに噛み合っている二番かな３１の歯部３１ａと香箱歯部４８ａとの間に位置する部分に外力を付与することができ、この部分を圧縮変形させて黄色から赤色に変化させることができる。つまり、ピエゾクロミズムフィルム８１の色を、部分的に赤色に変色させることができる。
【００８９】
その後、巻き上げられたぜんまい６０が時間経過に伴って徐々に巻き解かれると、ぜんまい６０が蓄えている動力が徐々に低下するので、これに対応して、ピエゾクロミズムフィルム８１のうち、互いに噛み合っている二番かな３１の歯部３１ａと香箱歯部４８ａとの間に位置する部分に付与される外力も低下する。
そのため、例えばぜんまい６０が完全に巻き解かれた際、ピエゾクロミズムフィルム８１のうち、互いに噛み合っている二番かな３１の歯部３１ａと香箱歯部４８ａとの間に位置する部分に付与する外力を十分に低下（例えば無負荷に近い状態まで低下）させることができ、赤色から黄色に変化させることができる。これにより、ピエゾクロミズムフィルム８１の色を全体に亘って黄色にすることができ、部分的な変色をなくすことができる。
【００９０】
従って、本実施形態に場合であっても、第３実施形態と同様に、ピエゾクロミズムフィルム８１のうち、互いに噛み合っている二番かな３１の歯部３１ａと香箱歯部４８ａとの間に位置する部分の色の状態を視認することで、ぜんまい６０の巻き上げ量に関する情報を一目で把握することができる。
さらに、互いに噛み合う二番かな３１の歯部３１ａと香箱歯部４８ａとを利用してピエゾクロミズムフィルム８１を取り付けるので、ピエゾクロミズムフィルム８１に対して、常時外力を付与することが可能である。従って、ピエゾクロミズムフィルム８１の色の状態に基づいて、ぜんまい６０の巻き上げ量に関する情報を常時把握することができる。
【００９１】
なお、上述した第４実施形態では、ピエゾクロミズムフィルム８１を二番かな３１側に取り付けたが、この場合に限定されるものではない。例えば、二番かな３１側に加え、香箱歯部４８ａの周面を覆うように香箱歯車４８側にさらにピエゾクロミズムフィルム８１を取り付けても構わない。さらには、二番かな３１側に取り付けず、香箱歯部４８ａの周面を覆うように香箱歯車４８側にだけピエゾクロミズムフィルム８１取り付けても構わない。
いずれの場合であっても、上述した第４実施形態と同様の作用効果を奏功することができる。
【００９２】
以上、本発明の実施形態を説明したが、これらの実施形態は例として提示したものであり、発明の範囲を限定することは意図していない。実施形態は、その他様々な形態で実施されることが可能であり、発明の要旨を逸脱しない範囲で、種々の省略、置き換え、変更を行うことができる。実施形態やその変形例には、例えば当業者が容易に想定できるもの、実質的に同一のもの、均等の範囲のものなどが含まれる。
【００９３】
例えば、上記各実施形態では、香箱車２８の内部にスリッピングアタッチメント６５を具備する構成を例に挙げて説明したが、スリッピングアタッチメント６５は必須なものではなく、具備しなくても構わない。
この場合には、例えば香箱ケース４１における周壁部４５ｂの内周面に凹部を形成すると共に、ぜんまい６０の外端部６２に上記凹部に対して周方向から係止可能な係止部を固着させ、係止部を凹部に対して係止させる構成を採用すれば良い。これにより、ぜんまい６０に蓄えられた動力を香箱ケース４１に伝えることが可能となる。このように構成した場合において、例えば周壁部４５ｂのうち上記凹部を除く部分の内周面に、ピエゾクロミズムフィルム８１を接着等によって固定することで、第１実施形態及び第２実施形態と同様の作用効果を奏功することか可能となる。
【００９４】
さらに、上記第１実施形態及び第２実施形態では、香箱蓋４６を具備する香箱車２８を例に挙げて説明したが、香箱蓋４６は必須なものではなく、具備しなくても構わない。この場合には、ぜんまい６０の動きを視認することができるので、さらに機械美及び審美性に優れたスケルトン時計として機械式時計１を構成することができる。
特に、表示窓５１が形成された香箱蓋４６を具備しないので、ピエゾクロミズムフィルム８１の全体を視認することができる。従って、ピエゾクロミズムフィルム８１の色の状態に基づいて、ぜんまい６０の巻き上げ量に関する情報をより一層把握することができ、好ましい。
【００９５】
さらに上記第１実施形態及び第２実施形態において、香箱車２８の底壁部４５ａにピエゾクロミズムフィルム８１を視認するための表示窓５１をさらに形成しても構わない。
【００９６】
さらに上記第３実施形態では、こはぜ７０と角穴車２７との間にピエゾクロミズムフィルム８１を設けた場合を説明し、第４実施形態では、二番車３０と香箱車２８との間にピエゾクロミズムフィルム８１を設けた場合を説明したが、これらの場合に限定されるものではなく、他の時計部品同士の間にピエゾクロミズムフィルム８１を設けても構わない。
例えば表輪列１４のうち、二番車３０よりも動力伝達方向の下流側に位置する第１時計部品と、この第１時計部品の第１歯部と噛み合う第２歯部を有し、ぜんまい６０から動力が伝えられる動力伝達車である第２時計部品と、の間にピエゾクロミズムフィルム８１を設けても構わない。この場合であっても、第３実施形態及び第４実施形態と同様の作用効果を奏功することができる。
【符号の説明】
【００９７】
１…機械式時計
２…ムーブメント（時計用ムーブメント）
２７…角穴車（第２時計部品、動力伝達車）
２８…香箱車（第２時計部品、動力伝達車）
３０…二番車（第１時計部品）
３１ａ…二番かなの歯部（第１歯部）
４５ｂ…香箱車の周壁部
４８ａ…香箱歯部（第２歯部）
５５ａ…角穴歯部（第２歯部）
６０…ぜんまい（第１時計部品）
７０…こはぜ（第１時計部品）
７０ａ…係合歯部（第１歯部）
８０、９０、１００、１１０…表示機構
８１…ピエゾクロミズムフィルム（表示体）
【図１】
2019164009.tif 000003
【図２】
2019164009.tif 000004
【図３】
2019164009.tif 000005
【図４】
2019164009.tif 000006
【図５】
2019164009.tif 000007
【図６】
2019164009.tif 000008
【図７】
2019164009.tif 000009
【図８】
2019164009.tif 000010
【図９】
2019164009.tif 000011
【図１０】
2019164009.tif 000012
【図１１】
2019164009.tif 000013
【図１２】
2019164009.tif 000014
【図１３】
2019164009.tif 000015
【図１４】
2019164009.tif 000016